(57)【要約】      （修正有）【課題】パチンコ店の老朽化した客用椅子の座面部を座り心地良く張り替え、臀部の形状に合わせてゆっくり沈み、体圧を均一に吸収・分散するので疲れにくい張り替え構造を提供する。【解決手段】インナー（板状芯材）の上層に固定してあるモールドウレタン上面に、あるいは、その損耗が著しい場合や座厚調整が要る場合は上面部を適宜厚さ切り取り、その上面に厚さ１０〜４０ｍｍの低反発ウレタンを所定の接着剤で接合し、さらに低反発ウレタンの表面を難燃性で通気性ある高密度ウレタンシートで被覆し、座面全体の外表面に適宜色彩のレザーシートをインナーに対しタッカーで留めたり内蔵の紐を締めて固定し、さらにインナーを椅子の支柱部に嵌合してある。【選択図】図１
0003162024.tif 000002
【実用新案登録請求の範囲】
【請求項１】
パチンコ店で客用の椅子として広く使用されているレザーや布張りでのモールドウレタンを座面内部の最上層にした椅子の修理にあたり、インナー（板状芯材）の上層に固定してあるモールドウレタン上面に、あるいは、その損耗が著しい場合や座高調整の要ある場合は当該上面部を適宜切り取り、その上に厚さ１０〜４０ｍｍの低反発ウレタンを所定の接着剤で接合し、さらに低反発ウレタンの表面を難燃性で通気性ある高密度ウレタンのシートで被覆し、座面全体の被覆用に適宜色彩のレザーシートをタッカーで留めたりや内蔵の紐で締めてインナーに固定し、さらに、インナーを椅子の支柱部に嵌合固定してあるパチンコ店の客用椅子座面部の張り替え構造。
【考案の詳細な説明】
【技術分野】
【０００１】
本考案はパチンコ店の客用椅子座面部の張り替え構造に関する。
【背景技術】
【０００２】
従来からパチンコ店では遊戯者用に椅子が多数用意されているが、使用を重ねると表面のレザー生地が破損したり、座面が変形して座り心地が悪くなり、修理の要望がでてくる。そのまま復元修理をしたのでは座り心地の悪さを繰り返すばかりで、修理内容の改善が望まれている。従来、椅子の座面には、クッション性の良好な発泡性合成樹脂からなるパッドがクッション材として用いられ、表面の外観を綺麗にし丈夫にするため、着色シートが帳設されている。着色シートの帳設を工夫したものとして特許文献１によれば、シートの帳設を縫い付けから接着に替えたものがあり、さらに特許文献２ではパッドに接着溝を露出してシートの帳設を容易にしたものがある。一方、特許文献３によれば、クッション本体をポリエステル樹脂綿で構成し、表面に面ファスナーとプラスチックフィルムを介し表皮材を設けている座席用クッション体というものがみられる。
【先行技術文献】
【特許文献】
【０００３】
【特許文献１】実開昭５８ー１０２６７４号
【特許文献２】実開平６ー１１６００号
【特許文献３】実用新案登録第３０７０５８４号
【考案の概要】
【考案が解決しようとする課題】
【０００４】
従来のモールドウレタン製の椅子は長期の使用で表面のレザー部分が硬化したり、クッションが効かなくなり、座り心地が悪くなるのが、現状である。それを改善するのに張り替えと称して、表面のレザー部分の取り替えをおこなうことがあるが、それでは不充分なので、さらに低反発ウレタンを張り込むことにより、より一層のクッション性を付与して座り心地を良くすることに着目し本考案を見出すに至った。
【課題を解決するための手段】
【０００５】
ここにおいて本考案者はパチコ店で客用の椅子として広く使用されているレザーもしくは布張りでモールドウレタンを最上層に使用している椅子座面の修理にあたり、インナー（板状芯材）の上層に固定してあるモールドウレタンの上面に、あるいはその損耗が著しい場合や座厚調整が要る場合は当該上面を適宜切り取り、その上に厚さ１０〜４０ｍｍの低反発ウレタンを所定の接着剤で接合し、さらに低反発ウレタンの表面を難燃性で通気性ある高密度ウレタンのシートで被覆し座面全体の表面用に適宜色彩のレザーシートをタッカーで留めたり内蔵の紐で締めて、さらに、インナーに対し固定し、最後にインナーを椅子の支柱部に金具を介し嵌合して完了とするパチコ店の客用椅子の座面部の張り替え構造を見出すに至った。
【考案の効果】
【０００６】
モールドウレタンは発泡体であるが、外力により圧縮されても比較的変形しにくいほどに剛性がある一方、低反発ウレタンの場合は変形してもゆっくりと元に戻る性質があるので、本考案ではそれに着目したのである。すなわち、低反発ウレタンは使用により臀部の形状に合わせてゆっくりと沈むのが特徴であって、体圧を均一にに吸収・分散して一部に集中しないので、長時間腰を掛けても疲れにくい効果があり、使用者に座り心地よく遊戯に熱中してもらうことができる。これに対しモールドウレタンの場合は低反発のウレタンとは正反対に、臀部の突出部が体重を受け、その部分がモールドウレタンを加圧するので、疲労が集中して痛くなり、客は遊戯を中止したくなるので、店の営業に影響を及ぼすおそれがあり、業界でも多少改善の要があると思ってはいるが対応が不充分である。
【図面の簡単な説明】
【０００７】
【図１】椅子の座面部の積層状態を示す説明図であり、最下層のインナーに順次積層してあり、手前のレザーシートが最上層になる。
【図２】実施例により低反発ウレタンを使用して張り替えた椅子の外観図
【考案を実施するための形態】
【０００８】
修理前の座面はインナーと呼ばれる芯材の硬質のプラスチック板の上にモールドウレタンが載置固定されており、表面にレザーと俗称されている着色シートが被覆されている。修理再生にあたっては、老朽のレザーシートを剥がし、モールドウレタンに損耗がなければそれに低反発ウレタンを接着載置し、その上面に難燃性と通気性のある高密度ウレタンシートを被覆し、座面全体にレザーシートを被覆してその周縁をインナーにタッカーで留め、あるいは内蔵の紐で締め、インナーを椅子の支柱部に嵌合し固定して完了とする。なお、低反発ウレタンや高密度ウレタンシートは市販品の入手が容易である。
【０００９】
あるいは、前者に対しモールドウレタンの損耗が顕著な場合や座厚の調整が必要な場合は、不要部を適宜切徐して平滑にしてから厚さ２０〜４０ｍｍの低反発ウレタンを接着載置し、それに前者と同様に難燃性と通気性のある高密度ウレタンシートを被覆してから全体にレザーシートを被覆し、レザーシートの周縁をインナーにタッカーで留めたり、あるいは内蔵の紐で締めてから、最後にインナーを椅子の支柱部に金具を介し嵌合して完了とする。
【００１０】
そもそも、低反発ウレタンは軟質ウレタンフォームの一種であり、特殊な分子構造に設計され、弾性を抑え粘性を上げたフォームであり、ヒステリシスロス率の大きい衝撃吸収製フォームの特性を有している。気泡が連通し圧縮した後に外力を取り除くと、ゆっくりもとに戻る性質があり、一般のフォームに比して反発弾性率が１５％程度以下と非常に小さい特徴を有しているので、局部的な圧迫が少なく体圧が全体に分散されるので、血流阻害の防止効果が認められている。このため、低反発ウレタンは尻の形状や動きにフィットしながら形状が変化して体圧が局部に集中せずに分散するので快適なクッションとして使用できるのである。
【００１１】
なお、ウレタンはイソシアネートとアルコールとの反応により生成する化合物で、分子内にウレタン結合を有するものの総称であり、ウレタン結合により生ずる高分子をポリウレタンと称し、ウレタンフォーム（発泡体）として使用されることが多く、日常、これを単にウレタンと略称していることが多いので、本考案においてもこれにならいウレタンフォームをウレタンと略記していることをことわっておく。
【実施例１】
【００１２】
モールドウレタンの損耗が顕著な場合や座厚の調整が必要な場合、図１に示すごとく、その上部を適宜切徐して平滑にしてから厚さ２０〜４０ｍｍの低反発ウレタンを接着載置しその上面を高密度ウレタンシートで被覆して低反発ウレタンに対し予め難燃性と通気性を付与し、座面の表面にレザーシートを被覆し、レザーシート周縁をインナーにタッカーで留め、あるいは内蔵の紐を締めて固定し、最後にインナーを椅子の支柱部に金具を介し嵌合して完了とする。なお、実施例では低反発ウレタンおよび高密度ウレタンシートは下記の市販品をを使用した。
低反発ウレタン：（株）イノアックコーポレーションのＥＧＲ−６Ｈ
高密度ウレタンシート：（株）東洋クオリティワンのウレタン３３Ｈ
【産業上の利用可能性】
【００１３】
パチンコ店では客用椅子の損耗が激しく修理の要望が多く、修理対象椅子が多量にあり、本考案による修理が好評なので、本考案による修理品が当分出回るものとみられる。
【図１】
0003162024.tif 000003
【図２】
0003162024.tif 000004
【手続補正書】
【提出日】平成22年6月4日(2010.6.4)
【手続補正１】
【補正対象書類名】明細書
【補正対象項目名】０００９
【補正方法】変更
【補正の内容】
【０００９】
あるいは、前者に対しモールドウレタンの損耗が顕著な場合や座厚の調整が必要な場合は、不要部を適宜切徐して平滑にしてから厚さ１０〜４０ｍｍの低反発ウレタンを接着載置し、それに前者と同様に難燃性と通気性のある高密度ウレタンシートを被覆してから全体にレザーシートを被覆し、レザーシートの周縁をインナーにタッカーで留めたり、あるいは内蔵の紐で締めてから、最後にインナーを椅子の支柱部に金具を介し嵌合して完了とする。
【手続補正２】
【補正対象書類名】明細書
【補正対象項目名】００１２
【補正方法】変更
【補正の内容】
【００１２】
モールドウレタンの損耗が顕著な場合や座厚の調整が必要な場合、図１に示すごとく、その上部を適宜切徐して平滑にしてから厚さ１０〜４０ｍｍの低反発ウレタンを接着載置しその上面を高密度ウレタンシートで被覆して低反発ウレタンに対し予め難燃性と通気性を付与し、座面の表面にレザーシートを被覆し、レザーシート周縁をインナーにタッカーで留め、あるいは内蔵の紐を締めて固定し、最後にインナーを椅子の支柱部に金具を介し嵌合して完了とする。なお、実施例では低反発ウレタンおよび高密度ウレタンシートは下記の市販品をを使用した。
低反発ウレタン：（株）イノアックコーポレーションのＥＧＲ−６Ｈ
高密度ウレタンシート：（株）東洋クオリティワンのウレタン３３Ｈ
【手続補正３】
【補正対象書類名】実用新案登録請求の範囲
【補正対象項目名】請求項１
【補正方法】変更
【補正の内容】
【請求項１】
パチンコ店で客用の椅子として広く使用されているレザーや布張りでのモールドウレタンを座面内部の最上層にした椅子の修理にあたり、インナー（板状芯材）の上層に固定してあるモールドウレタン上面に、あるいは、その損耗が著しい場合や座厚調整の要ある場合は当該上面部を適宜切り取り、その上に厚さ１０〜４０ｍｍの低反発ウレタンを所定の接着剤で接合し、さらに低反発ウレタンの表面を難燃性で通気性ある高密度ウレタンのシートで被覆し、座面全体の被覆用に適宜色彩のレザーシートをタッカーで留めたりや内蔵の紐で締めてインナーに固定し、さらに、インナーを椅子の支柱部に嵌合固定してあるパチンコ店の客用椅子座面部の張り替え構造。
【手続補正書】
【提出日】平成22年6月7日(2010.6.7)
【手続補正１】
【補正対象書類名】明細書
【補正対象項目名】０００２
【補正方法】変更
【補正の内容】
【０００２】
従来からパチンコ店では遊戯者用に椅子が多数用意されているが、使用を重ねると表面のレザー生地が破損したり、座面が変形して座り心地が悪くなり、修理の要望がでてくる。そのまま復元修理をしたのでは座り心地の悪さを繰り返すばかりで、修理内容の改善が望まれている。従来、椅子の座面には、クッション性の良好な発泡性合成樹脂からなるパッドがクッション材として用いられ、表面の外観を綺麗にし丈夫にするため、着色シートが張設されている。着色シートの張設を工夫したものとして特許文献１によれば、シートの張設を縫い付けから接着に替えたものがあり、さらに特許文献２ではパッドに接着溝を露出してシートの張設を容易にしたものがある。一方、特許文献３によれば、クッション本体をポリエステル樹脂綿で構成し、表面に面ファスナーとプラスチックフィルムを介し表皮材を設けている座席用クッション体というものがみられる。
【手続補正２】
【補正対象書類名】明細書
【補正対象項目名】０００４
【補正方法】変更
【補正の内容】
【０００４】
従来のモールドウレタン製の椅子は長期の使用で表面のレザー部分が硬化したり、クッションが効かなくなり、座り心地が悪くなるのが現状である。それを改善するのに張り替えと称して、表面のレザー部分の取り替えをおこなうことがあるが、それでは不充分なので、さらに低反発ウレタンを張り込むことにより、より一層のクッション性を付与して座り心地を良くすることに着目し本考案を見出すに至った。
【手続補正３】
【補正対象書類名】明細書
【補正対象項目名】０００５
【補正方法】変更
【補正の内容】
【０００５】
ここにおいて本考案者はパチコ店で客用の椅子として広く使用されているレザーもしくは布張りでモールドウレタンを最上層に使用している椅子座面の修理にあたり、インナー（板状芯材）の上層に固定してあるモールドウレタンの上面に、あるいはその損耗が著しい場合や座厚調整が要る場合は当該上面を適宜切り取り、その上に厚さ１０〜４０ｍｍの低反発ウレタンを所定の接着剤で接合し、さらに低反発ウレタンの表面を難燃性で通気性ある高密度ウレタンシートで被覆し座面全体の表面用に適宜色彩のレザーシートをタッカーで留めたり内蔵の紐で締めてインナーに対し固定し、最後にインナーを椅子の支柱部に金具を介し嵌合して完了とするパチコ店の客用椅子座面部の張り替え構造を見出すに至った。
【手続補正４】
【補正対象書類名】明細書
【補正対象項目名】０００７
【補正方法】変更
【補正の内容】
【０００７】
【図１】椅子の座面部の積層状態を示す説明図であり、最下層のインナーに順次積層してあり、手前のレザーシートが最上層になる。
【図２】実施例により低反発ウレタンを使用して張り替えた椅子の外観図である。
【手続補正５】
【補正対象書類名】明細書
【補正対象項目名】００１２
【補正方法】変更
【補正の内容】
【００１２】
モールドウレタンの損耗が顕著な場合や座厚の調整が必要な場合、図１に示すごとく、その上部を適宜切徐して平滑にしてから厚さ１０〜４０ｍｍの低反発ウレタンを接着載置しその上面を高密度ウレタンシートで被覆して低反発ウレタンに対し予め難燃性と通気性を付与し、座面の表面にレザーシートを被覆し、レザーシート周縁をインナーにタッカーで留め、あるいは内蔵の紐を締めて固定し、最後にインナーを椅子の支柱部に金具を介し嵌合して完了とする。なお、実施例での低反発ウレタンおよび高密度ウレタンシートは下記の市販品をを使用した。
低反発ウレタン：（株）イノアックコーポレーションのＥＧＲ−６Ｈ
高密度ウレタンシート：（株）東洋クオリティワンのウレタン３３Ｈ
【手続補正６】
【補正対象書類名】実用新案登録請求の範囲
【補正対象項目名】請求項１
【補正方法】変更
【補正の内容】
【請求項１】
パチンコ店で客用の椅子として広く使用されているレザーや布張りでのモールドウレタンを座面内部の最上層にした椅子の修理にあたり、インナー（板状芯材）の上層に固定してあるモールドウレタン上面に、あるいは、その損耗が著しい場合や座厚調整の要ある場合は当該上面部を適宜切り取り、その上に厚さ１０〜４０ｍｍの低反発ウレタンを所定の接着剤で接合し、さらに低反発ウレタンの表面を難燃性で通気性ある高密度ウレタンシートで被覆し、座面全体の被覆用に適宜色彩のレザーシートをタッカーで留めたり内蔵の紐で締めてインナーに固定し、さらに、インナーを椅子の支柱部に嵌合固定してあるパチンコ店の客用椅子座面部の張り替え構造。